(57)【要約】  【課題】  製図用紙上などの任意位置に、コンパス中心脚の穂先先端を不用意に離脱させないよう、より確実に支持すると共に、一段と円滑に回転自在とするものとした上、耐久性に秀れて長寿命化できる新たなコンパス用中心器技術を提供する。  【解決手段】  接地底面２０周回りの少なくとも３点の均衡配置となる複数箇所か、または、全周に渡って連続するかの何れか一方に軟質、高摩擦素材製の接地座３を一体化した円環状固定輪２と、該固定輪２に同心状配置となるよう配した回転輪４との対峙周壁２１，４０間に、ベアリング機構５を組み込んだ上、当該回転輪４の中央に、コンパス７中心脚７０の穂先先端７１を差込み嵌合可能とする中心接続部６を装着してなるものとした、この発明のコンパス用中心器１およびそれを組み込んだ製図器セット１０である。【選択図】    図１
2012030407.tif 000002
【特許請求の範囲】
【請求項１】
円環状体からなり、接地底面周回りの少なくとも３点の均衡配置となる複数箇所か、または、全周に渡って連続するかの何れか一方に軟質、高摩擦素材製の接地座を一体化した固定輪と、該固定輪の内がわ、および／または、上がわに同心状配置となるよう配した回転輪との対峙周壁間に、同固定輪、回転輪間の回転摩擦を低減可能なベアリング機構を組み込んだ上、当該回転輪の中央に、コンパス中心脚の穂先先端を直接か、または、アダプター類を介して差込み嵌合可能とする軟質素材製の中心接続部を装着してなるものとしたことを特徴とするコンパス用中心器。
【請求項２】
円環状体からなり、接地底面周回りの少なくとも３点の均衡配置となる複数箇所か、または、全周に渡って連続するかの何れか一方に軟質、高摩擦素材製の接地座を一体化した固定輪と、該固定輪の内がわ、および／または、上がわに同心状配置となるよう配した回転輪との対峙周壁間に、同固定輪、回転輪間の回転摩擦を低減可能なベアリング機構を組み込んだ上、当該回転輪の中央に、コンパス中心脚の穂先先端を直接か、または、アダプター類を介して差込み嵌合可能とする軟質素材製の中心スリーブが、その装着口を上向きとする姿勢に装着してなるものとしたことを特徴とするコンパス用中心器。
【請求項３】
円環状体からなり、接地底面周回りの少なくとも３点の均衡配置となる複数箇所か、または、全周に渡って連続するかの何れか一方に軟質、高摩擦素材製の接地座を一体化した円環状固定輪と、該固定輪の内がわ、および／または、上がわに同心状配置となるよう配した円環状回転輪との対峙周壁間に、複数個の転動体、および、それら転動体を周回りに均等配置とするよう保持可能な保持器を有する転がり軸受機構からなるベアリング機構を組み込んだ上、当該回転輪の中央に、コンパス中心脚の穂先先端を直接か、または、アダプター類を介して差込み嵌合可能とする軟質素材製の中心スリーブが、その装着口を上向きとする姿勢に装着してなるものとしたことを特徴とするコンパス用中心器。
【請求項４】
円環状体からなり、接地底面周回りの少なくとも３点の均衡配置となる複数箇所か、または、全周に渡って連続するかの何れか一方に軟質、高摩擦素材製の接地座を一体化した合成樹脂製固定輪と、該固定輪の内がわ、および／または、上がわに同心状配置となるよう配した金属製円環状回転輪との対峙周壁間に、複数個の鋼製転動体、および、それら転動体を周回りに均等配置とするよう保持可能な合成樹脂製保持器を有する転がり軸受機構からなるベアリング機構を組み込んだ上、当該回転輪の中央に、コンパス中心脚の穂先先端を直接か、または、アダプター類を介して差込み嵌合可能とする軟質素材製の中心スリーブが、その装着口を上向きとする姿勢に装着してなるものとしたことを特徴とするコンパス用中心器。
【請求項５】
中心スリーブが、中心脚の穂先先端に軟質合成樹脂製のアダプターキャップを装着したコンパスの、該アダプターキャップの先端を当該中心スリーブの装着口に嵌脱自在に組み合わせ嵌合可能な形状、寸法に設定してなるものとした、請求項２ないし４何れか一項記載のコンパス用中心器。
【請求項６】
ベアリング機構が、スラスト軸受を形成するものとしてなる、請求項１ないし５何れか一項記載のコンパス用中心器。
【請求項７】
請求項１ないし６何れか一項記載のコンパス用中心器に、少なくとも製図用コンパスを組み合わせ、店頭販売用の包装を兼ねた１つの収納ケースに収容してなるものとした、請求項１ないし６何れか一項記載のコンパス用中心器を組み込んだ製図器セット。
【請求項８】
請求項１ないし６何れか一項記載のコンパス用中心器に、中心脚の穂先先端にアダプターキャップが装着してある製図用コンパスを、少なくとも１個組み合わせ、店頭販売用の包装を兼ねた１つの収納ケースに収容してなるものとした、請求項１ないし６何れか一項記載のコンパス用中心器を組み込んだ製図器セット。
【発明の詳細な説明】
【技術分野】
【０００１】
この発明は、製図用具に関連するものであり、特に、コンパス、および、コンパス中心脚穂先の先端で製図用紙などの紙に孔を開けずに利用可能とする中心器、およびそれを組み合わせた製図器セット類を製造、提供する分野は勿論のこと、その輸送、保管、組み立て、展示、販売および利用に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                        
【背景技術】
【０００２】
（着目点）
従来型のコンパスは、中心脚の穂先先端に針を突没可能、進退量調節自在に装着してなるものであり、線描しようとする円弧図形の半径に相当する寸法分開脚、調節したコンパスの中心脚穂先の針を対象となる紙面上の円弧中心位置に突き立てるよう刺して位置決めした上、該中心脚と対をなすもう一方の遠心脚の先端に装着した鉛筆芯、鉛筆、シャープペンシル、烏口などで真円形の線描をするよう製図することができるものの、複数の同心円を続けて描画したり、または、何度も線描し直したりすることにより、中心の孔が広がって中心位置が不明瞭になってしまうことがあり、こうした事態に陥ると、同心円や同心円弧形状などを描画するのが非常に難しくなり、先に描画した円の中心位置を再び正確に探し出すのは非常に難しくなってしまうという致命的な欠点があった。
【０００３】
（従来の技術）
こうした状況を反映し、その打開策となるような提案もこれまでに散見されない訳ではない。
例えば、下記の特許文献１（１）に提案されているものに代表されるように、底面に滑り止め用のゴムを装着した透明円板の上面中心に断面Ｖ字形の小さな丸い穴を穿設し、その穴にコンパスの針先を入れて回転出来るようにし、製図用紙などの線描対象の紙の表面に針の孔を開けないよう製図可能としたものや、同特許文献１（２）に見られるような、コンパスの針を出没自在に設け、携行中や取扱い中に針を収納しておき、針で怪我をしたり、コンパスが落下したときに針を保護したりすることができ、また、針の突出量を段階的に調節可能として、紙の厚さに応じて適切な深さに針が到達するようにしたものなどが散見される。
【０００４】
しかし、前者特許文献１（１）に示されているようなコンパス用の中心器類は、コンパスの針先端を、透明円板の断面形Ｖ字型の丸穴に突き立てて利用するものであり、度重なる針先端による突き立てによって摩耗し、次第に貫通、破損してしまう虞がある外、線描中のコンパスの針先が、このＶ字型の丸穴から不用意に外れてしまうと、製図用紙に傷を付けてしまったり、または、周辺のものに傷付ける虞があるという問題があり、また、特許文献１（２）の出没自在の針を設けたコンパスは、製図用紙の厚さなどを考慮して針の突出量を調節可能なものとし、中心脚の穂先先端をより確実に位置決めできるものとしているが、針が露出しているときには、怪我の発生や針の損傷を確実に防止できるという訳にはいかず、文房具業界は固よりのこと、各種教育機関や各種製造業界の設計・製図部門なども、こうした課題の解決を待望しているのが現状である。                                                    
【特許文献１】（１）特開平１０−１９３８７８号公報    （２）特開平１１−２４０２９３号公報
【発明の開示】
【発明が解決しようとする課題】
【０００５】
（問題意識）
上述したとおり、従前までに提案のあるコンパス用の各種中心器類は、回転するコンパスの針が錐のように作用して透明円板を摩耗、破損してしまい易く、耐久性の点で劣るという欠点を有するだけでなく、透明円板のＶ字型断面形丸穴から針が不用意に外れ、製図用紙や周囲の他物に損傷を与えてしまう虞があったり、複数回に渡って同じ中心位置に針を刺して線描する場合には、次第に中心がずれて正確な製図ができなくしたりするという問題を抱えるものであり、これら課題が未だに解決されないままに放置されていることに深く疑問を抱き続けてきた。
【０００６】
（発明の目的）
そこで、この発明は、製図用紙上などの任意位置に、コンパス中心脚の穂先先端を、不用意に離脱しないよう、より確実に支持すると共に、一段と円滑に回転自在とするものとした上、耐久性に秀れて長寿命化できる新たなコンパス用中心器技術の開発はできないものかとの判断から、逸速くその開発、研究に着手し、長期に渡る試行錯誤と幾多の試作、実験とを繰り返してきた結果、今回、遂に新規な構造のコンパス用中心器、およびそれを組み込んだ新規な構造ならびに組み合わせの製図器セットを実現化することに成功したものであり、以下では、図面に示すこの発明を代表する実施例と共に、その構成を詳述することとする。                                                                                                      
【課題を解決するための手段】
【０００７】
（発明の構成）
図面に示すこの発明を代表する実施例からも明確に理解されるように、この発明のコンパス用中心器は、基本的に次のような構成から成り立っている。
即ち、円環状体からなり、接地底面周回りの少なくとも３点の均衡配置となる複数箇所か、または、全周に渡って連続するかの何れか一方に軟質、高摩擦素材製の接地座を一体化した固定輪と、該固定輪の内がわ、および／または、上がわに同心状配置となるよう配した回転輪との対峙周壁間に、同固定輪、回転輪間の回転摩擦を低減可能なベアリング機構を組み込んだ上、当該回転輪の中央に、コンパス中心脚の穂先先端を直接か、または、アダプター類を介して差込み嵌合可能とする軟質素材製の中心接続部を装着してなるものとした構成を要旨とするコンパス用中心器である。
【０００８】
この基本的な構成からなるコンパス用中心器は、その表現を変えて示すならば、円環状体からなり、接地底面周回りの少なくとも３点の均衡配置となる複数箇所か、または、全周に渡って連続するかの何れか一方に軟質、高摩擦素材製の接地座を一体化した固定輪と、該固定輪の内がわ、および／または、上がわに同心状配置となるよう配した回転輪との対峙周壁間に、同固定輪、回転輪間の回転摩擦を低減可能なベアリング機構を組み込んだ上、当該回転輪の中央に、コンパス中心脚の穂先先端を直接か、または、アダプター類を介して差込み嵌合可能とする軟質素材製の中心スリーブが、その装着口を上向きとする姿勢に装着してなるものとした構成からなるコンパス用中心器となる。
【０００９】
より具体的には、円環状体からなり、接地底面周回りの少なくとも３点の均衡配置となる複数箇所か、または、全周に渡って連続するかの何れか一方に軟質、高摩擦素材製の接地座を一体化した円環状固定輪と、該固定輪の内がわ、および／または、上がわに同心状配置となるよう配した円環状回転輪との対峙周壁間に、複数個の転動体、および、それら転動体を周回りに均等配置とするよう保持可能な保持器を有する転がり軸受機構からなるベアリング機構を組み込んだ上、当該回転輪の中央に、コンパス中心脚の穂先先端を直接か、または、アダプター類を介して差込み嵌合可能とする軟質素材製の中心スリーブが、その装着口を上向きとする姿勢に装着してなるものとした構成からなるコンパス用中心器となる。
【００１０】
これを換言すると、円環状体からなり、接地底面周回りの少なくとも３点の均衡配置となる複数箇所か、または、全周に渡って連続するかの何れか一方に軟質、高摩擦素材製の接地座を一体化した合成樹脂製固定輪と、該固定輪の内がわ、および／または、上がわに同心状配置となるよう配した金属製円環状回転輪との対峙周壁間に、複数個の鋼製転動体、および、それら転動体を周回りに均等配置とするよう保持可能な合成樹脂製保持器を有する転がり軸受機構からなるベアリング機構を組み込んだ上、当該回転輪の中央に、コンパス中心脚の穂先先端を直接か、または、アダプター類を介して差込み嵌合可能とする軟質素材製の中心スリーブが、その装着口を上向きとする姿勢に装着してなるものとした構成からなるコンパス用中心器となる。
【００１１】
（関連する発明）
上記したコンパス用中心器に関連し、この発明には、それを組み込んだ製図器セットも包含している。
即ち、この発明の基本をなすコンパス用中心器に、少なくとも製図用コンパスを組み合わせ、店頭販売用の包装を兼ねた１つの収納ケースに収容してなるものとした製図器セットである。
【００１２】
この製図器セットを、表現を変えて示すと、この発明の基本をなすコンパス用中心器に、中心脚の穂先先端にアダプターキャップが装着してある製図用コンパスを、少なくとも１個組み合わせ、店頭販売用の包装を兼ねた１つの収納ケースに収容してなるものとした製図器セットということができる。                                                                                        
【発明の効果】
【００１３】
以上のとおり、この発明のコンパス用中心器によれば、従前までのものとは違い、上記したとおりの固有の特徴ある構成から、接地座を一体化した固定輪が、製図用紙などの描画面上に、全く損傷を与えること無く高摩擦力を伴って確りと位置決め固定することができると共に、回転輪の中央に装着したる中心接続部に、穂先先端を差込み嵌合してコンパス中心脚の回転中心を確実に保持することが可能となる上、ベアリング機構の低回転摩擦によってコンパスの回転操作性を安定且つ円滑なものとすることができるから、同心円を複数描画したり、複数回の円弧の書き直しなどに伴う製図用紙など線描対象への針による損傷を確実に防止することができ、しかも軟質素材製の中心接続部が、コンパス中心脚の穂先先端の差込嵌合に対する耐久性を格段に高め、当該中心器それ自体を長寿命化することができるという秀れた特徴が得られるものである。
【００１４】
加えて、回転輪の中央に、コンパス中心脚の穂先先端を直接か、または、アダプター類を介して差込み嵌合可能とする軟質素材製の中心スリーブが、その装着口を上向きとする姿勢に装着してなるものとしたコンパス用中心器は、コンパス中心脚の穂先先端の針を突き刺して組み合わせるようにしたものの場合に比較して、より一段と高い耐久性を確保して、中心脚の穂先先端を一層確実に安定支持可能とするものとなり、当該コンパス用中心器の寿命を一段と延命化できる上、正確な円形の線描を格段に安定して行えるようになるという効果を発揮するものとなる。
【００１５】
そして、ベアリング機構を複数個の転動体、および、それら転動体を周回りに均等配置とするよう保持可能な保持器を有する転がり軸受機構からなるものとしたコンパス用中心器は、滑り軸受け機構を組み込んだものに比較して格段に高い耐久強度、および、低摩擦回転支持を実現化するものとなり、一層円滑な線描を達成可能とするものになるという効果を奏するものであり、また、合成樹脂製円環状固定輪と、該固定輪の内がわ、および／または、上がわに同心状配置となるよう配した金属製円環状回転輪との対峙周壁間に、複数個の鋼製転動体、および、それら転動体を周回りに均等配置とするよう保持可能な合成樹脂製保持器を有する転がり軸受機構からなるベアリング機構を組み込んでなるコンパス用中心器は、固定輪を大幅に軽量化することができると共に、ベアリング機構および回転輪の耐久強度を格段に高めて、回転支持性能を一段と高め、且つ経済的に生産可能なものとすることができる利点が得られる。
【００１６】
中心スリーブが、中心脚の穂先先端に軟質合成樹脂製のアダプターキャップを装着したコンパスの、該アダプターキャップの先端を当該中心スリーブの装着口に嵌脱自在に組み合わせ嵌合可能な形状、寸法に設定してなるコンパス用中心器は、コンパス中心脚の穂先先端に通常不可欠な針を不要として、取扱い安全性を格段に高めたものとすることができるという利点を得るものとなり、また、ベアリング機構が、スラスト軸受を形成するものとしたコンパス用中心器は、コンパス中心脚の穂先先端による突き立て荷重に対する耐久強度を格段に高めたものにすることができるという特徴を有するものとなる。
【００１７】
この発明のコンパス用中心器を組み込んだ製図器セットによれば、製図用コンパスを組み合わせた商品として１つの収納ケース毎販売、購入することが可能となり、利用者が当該コンパス用中心器と市販の製図用コンパスとの組み合わせの正誤判断に迷うことなく、誰でも正しい組み合わせで簡単に購入することができるという効果が得られるものとなり、しかも、当該コンパス用中心器に、中心脚の穂先先端にアダプターキャップが装着してある製図用コンパスを、少なくとも１個組み合わせ、店頭販売用の包装を兼ねた１つの収納ケースに収容してなるものとした製図器セットは、製図用コンパスに針を装着しなくても良いから、購入後の利用者が自ら、特段の加工や組み替え作業などをせずとも、利用開始当初から格段に安全であるという秀れた効果が得られるものである。                                                
【発明を実施するための最良の形態】
【００１８】
上記したとおりの構成からなるこの発明の実施に際し、その最良もしくは望ましい形態について説明を加えることにする。
固定輪は、コンパスによる円弧描画の対象となる製図用紙などの設置面に対して回転輪を滑らぬよう安定的、且つ回転自在に支持可能とする機能を担うものであり、円環状体からなり、接地底面周回りの少なくとも３点の均衡配置となる複数箇所か、または、全周に渡って連続するかの何れか一方に軟質、高摩擦素材製の接地座を一体化し、その内がわ、および／または、上がわに同心状配置となるよう配した回転輪との対峙周壁間に、同固定輪、回転輪間の回転摩擦を低減可能なベアリング機構を組み込んでなるものとしなければならず、耐久強度を高めるよう金属製のものとすることが可能であるが、後述する実施例に示すように、合成樹脂製として軽量化したものとすることができる。
【００１９】
接地座は、固定輪の接地底面を製図用紙などの設置面に対して高摩擦で接地可能とする機能を分担し、該固定輪接地底面周回りの少なくとも３点の均衡配置となる複数箇所か、または、全周に渡って連続するかの何れか一方に設けたものとしなければならず、製図用紙などを汚損しない軟質、高摩擦素材製のものとすべきであり、後述する実施例に示すように、天然ゴムや合成ゴム、または、それ以外の軟質合成樹脂製のものとするのが望ましい。
【００２０】
回転輪は、固定輪に対して回転自在に装着可能であって、その回転中心に軟質素材製の中心接続部を装着、支持可能とする機能を担い、固定輪の内がわ、および／または、上がわに同心状配置となるよう配し、同固定輪との間に回転摩擦を低減可能なベアリング機構を組み込み可能としたものとしなければならず、合成樹脂製のものとして軽量化することが可能であるが、後述する実施例に示すように、充分な支持強度を確保するよう金属製円環状体からなるものとするのが望ましい。
【００２１】
ベアリング機構は、固定輪と回転輪との間の回転摩擦を軽減し、回転輪が円滑に同一中心回りを正確に回転可能とする機能を果たすものであり、滑り軸受け機構を採用することができるが、複数個の転動体、および、それら転動体を周回りに均等配置とするよう保持可能な保持器を有する転がり軸受機構からなるものとするのが望ましく、より耐久性を高めて軽量化するには、後述する実施例に示すように、転動体を鋼製、保持器を合成樹脂製としたスラスト軸受を形成するものとするのが良く、当該転がり軸受機構は、例えば、複数個の球体を用いた玉軸受けや、複数個の円柱体、先端切除円錐体などのコロを用いたコロ軸受けなどであり、すべり軸受機構、磁気軸受機構、流体軸受機構などに置き換えることが可能であって、表現を変えると、ラジアル軸受機構、または、スラスト軸受機構などということができる。
【００２２】
中心接続部は、回転輪の中央に、コンパス中心脚の穂先先端を直接か、または、アダプター類を介して差込み嵌合可能とする機能を担い、天然ゴムや合成ゴム、軟質合成樹脂などの軟質素材製のものとしなければならず、コンパス中心脚穂先先端の針を直接突き刺して嵌合状とするものや、針の有無に拘わらず、コンパス中心脚穂先先端に装着したアダプター類を介して差込み嵌合状に組み合わせ可能としたものなどとすることができ、回転輪の中央に、軟質素材製の中心スリーブが、その装着口を上向きとする姿勢に装着してなるものとすることができ、後述する実施例に示すように、コンパス中心脚の穂先先端に軟質合成樹脂製のアダプターキャップを装着したコンパスの、該アダプターキャップの先端を当該中心スリーブの装着口に嵌脱自在に組み合わせ嵌合可能な形状、寸法に設定してなるものとすることができる。
【００２３】
アダプターキャップは、回転輪中央の中心接続部または中心スリーブに対して、コンパス中心脚の穂先先端を突き立て状に仮固定するよう、組み合わせ可能とする機能を担うものであり、コンパス中心脚の針が有るもの、または、針が無い物の何れか一方の穂先先端に着脱自在か、または一体化するかの何れか一方の状態に装着可能なものとし、中心接続部または中心スリーブに対して確実に嵌合可能な寸法、形状に形成したものとしなければならない。
【００２４】
製図器セットは、当該コンパス用中心器に、製図用コンパスを同一梱包中に組み合わせて保管、陳列、販売、購入および利用の達成を可能とする機能を果たすものであり、当該コンパス用中心器に、少なくとも製図用コンパスを組み合わせ、店頭販売用の包装を兼ねた１つの収納ケースに収容してなるものとすべきであり、さらに、後述する実施例に示すように、当該コンパス用中心器に、中心脚の穂先先端にアダプターキャップが装着してある製図用コンパスを、少なくとも１個組み合わせ、店頭販売用の包装を兼ねた１つの収納ケースに収容してなるものとすることができる。
以下では、図面に示すこの発明を代表する実施例と共に、その構造について詳述することとする。                                                                                                        
【実施例１】
【００２５】
図１の利用中のコンパス用中心器の断面図、図２のコンパスを装着するコンパス用中心器の断面図、図３のコンパス用中心器の断面図、図４のコンパス用中心器の平面図、図５のコンパス用中心器の底面図、図６の一層耐久性を高めたコンパス用中心器の断面図、図７の中心接続部を変更したコンパス用中心器の断面図、および、図８の製図器セットの正面図に示す事例は、接地底面２０に軟質、高摩擦素材製の接地座３を一体化した円環状固定輪２と、該固定輪２に同心状配置となるよう配した回転輪４との対峙周壁２１，４０間に、ベアリング機構５を組み込んだ上、当該回転輪４の中央に、コンパス７中心脚７０の穂先先端７１を差込み嵌合可能とする中心接続部６を装着してなるものとした、この発明のコンパス用中心器における代表的な一実施例を示すものである。
【００２６】
それら図１ないし図５の各図からも明確に把握できるとおり、この発明のコンパス用中心器１は、その固定輪２が、ポリプロピレン、ポリエチレン、ポリスチレン、ポリアセタール、ＡＢＳ、ポリカーボネート、ポリアミド、その他の何れかの硬質合成樹脂製、または、各種繊維強化樹脂製の円環状体からなり、同固定輪２の接地底面２０の全周に渡って天然ゴム製、合成ゴム製、または、スチレン系ポリマーやポリオレフィン系軟質樹脂などの軟質合成樹脂製であって高摩擦素材製の環状膜状の接地座３を一体化してなるものであり、該固定輪２の内がわは、鋼、ステンレス鋼、チタン、アルミニウム、銅、真鍮などの何れかからなる金属製円環状回転輪４を同心状に配し、それら固定輪２内周壁２１と回転輪４外周壁４０との対峙周壁間に、複数個の鋼製球体状転動体５０，５０，……、および、それら転動体５０，５０，……を周回りに均等配置とするよう保持可能な合成樹脂製保持器５１を有する転がり軸受機構５からなるスラスト軸受け型ベアリング機構５を組み込んだものとしてあり、当該回転輪４の中央に、コンパス７中心脚７０の穂先先端７１を直接か、または、針（７２）を持たない中心脚７０穂先先端７１に被着したアダプターキャップ６１を介して差込み嵌合可能とする軟質合成樹脂製の中心スリーブ６が、その装着口６０を上向きとする姿勢に装着してなるものとしてある。
【００２７】
また、当該コンパス用中心器１は、図６に示すように、固定輪２の上がわに、ベアリング機構５を介して回転輪４を配したスラスト軸受け型のものとすることが可能であり、さらにまた、図７に示すように、回転輪４の中央に、天然ゴム製などの軟質素材製柱状体からなる中心接続部６を装着し、該中心接続部６の上端に、コンパス７中心脚７０穂先先端７１の針７２を突き刺して利用可能なものとしたものとすることができる。
【００２８】
そして、当該コンパス用中心器１は、図８に示してあるとおり、中心脚７０の穂先先端７１に針（７２）を設けず、その代わりにアダプターキャップ６１を装着した製図用コンパス７、および、同コンパス７用の鉛筆芯７４などの付属品類７４と共に、店頭販売用の包装を兼ねた１つの収納ケース８に収容して製図器セット１０を形成することが可能である。
【００２９】
（実施例１の作用・効果）
以上のとおりの構成からなるこの発明のコンパス用中心器１は、図８に示すように、コンパス７と共に１つの収納ケース８に収容して製図器セット１０とすることで、店頭への陳列を容易にすると共に、多数陳列販売されている各種文房具の中から、当該コンパス用中心器１と、同コンパス用中心器１専用のアダプターキャップ６１を装着したコンパス７との組み合わせを誰でも誤ることなく簡単に購入することが可能となる上、収納ケース８が購入後の収納、保管、保護、携帯用ケースとして有効利用できるものとなり、収納ケース８から取り出したコンパス用中心器１は、図１ないし図３のように、製図用紙９上の描画しようとする円弧の中心位置に、その中心を一致するよう接地座３を接地する姿勢に配置すると、該接地座３が、その軟質、高摩擦性能によって製図用紙９上にコンパス用中心器１固定輪２を確りと固定することができる。
【００３０】
当該コンパス７の中心脚７０穂先先端７１と遠心脚７３鉛筆芯７４との距離を描画しようとする円弧の半径寸法に一致するよう開脚させた後、中心脚７０穂先先端７１のアダプターキャップ６１を回転輪４中央に上向き開口する中心スリーブ６装着口６０に確りと嵌合状に装着した上、遠心脚７３鉛筆芯７４を製図用紙９上に接地させ、中心脚７０穂先先端７１を中心に回転操作することにより、円滑に円弧または真円を描画することが可能であり、この際、ベアリング機構５が固定輪２に対する回転輪４の回転抵抗を大幅に軽減して、一段と正確且つ円滑な円弧形の線描を実現化することが可能となり、製図用紙９に針（７２）による穴や傷を一切生じることがない。
【００３１】
（結  び）
叙述の如く、この発明のコンパス用中心器、およびそれを組み込んだ製図器セットは、その新規な構成によって所期の目的を遍く達成可能とするものであり、しかも製造も容易で、従前からのコンパス用の中心器や、それを含む製図用具技術に比較して大幅に耐久強度を高め、軽量且つ長寿命化して遥かに経済的なものとすることができる上、線描操作性を大幅に改善し得るものとなることから、従前までは、不用意にコンパスの針が中心器から外れ易く、正確な作図が困難なものであったが、それを解決するには利用者自らの製図技術を高めることによってしか解決できず、各種教育機関および設計・製図用具業界は固よりのこと、簡単に綺麗で正確な図面を作成したいと希望する学生や設計者などにおいても高く評価され、広範に渡って利用、普及していくものになると予想される。            
【図面の簡単な説明】
【００３２】
図面は、この発明のコンパス用中心器、およびそれを組み込んだ製図器セットの技術的思想を具現化した代表的な幾つかの実施例を示すものである。
【図１】利用中のコンパス用中心器を示す断面図である。
【図２】コンパスを装着するコンパス用中心器を示す断面図である。
【図３】コンパス用中心器を示す断面図である。
【図４】コンパス用中心器を示す平面図である。
【図５】コンパス用中心器を示す底面図である。
【図６】一部に改良を加えたコンパス用中心器を示す断面図である。
【図７】中心接続部を変更したコンパス用中心器を示す断面図である。
【図８】製図器セットを示す正面図である。
【符号の説明】
【００３３】
１      コンパス用中心器
１０    同  製図器セット
２      固定輪
２０    同  接地底面
２１    同  内周壁
３      接地座
４      回転輪
４０    同  外周壁
５      ベアリング機構（転がり軸受機構）
５０    同  転動体
５１    同  保持器
６      中心接続部（中心スリーブ）
６０    同  装着口
６１    同  アダプターキャップ（アダプター類）
７      コンパス
７０    同  中心脚
７１    同  穂先先端
７２    同  針
７３    同  遠心脚
７４    同  鉛筆芯（付属品類）
８      収納ケース
９      製図用紙                                                                                              
【図１】
2012030407.tif 000003
【図２】
2012030407.tif 000004
【図３】
2012030407.tif 000005
【図４】
2012030407.tif 000006
【図５】
2012030407.tif 000007
【図６】
2012030407.tif 000008
【図７】
2012030407.tif 000009
【図８】
2012030407.tif 000010